(57)【要約】【課題】膨大な量の光ファイバーコードを確実に管理し、かつ取付け作業時および取付け後に光ファイバコードに過剰な曲げを生じないようなケーブル用識別タグを提供すること。【解決手段】ケーブル用識別タグ１０であって、管壁に一端から他端までらせん状に連続した間隙１３を有し、内側にケーブルＣを通されるスパイラル管１１と、スパイラル管１１に設けられ、ケーブルＣを識別するための記号または文字が記される第１の表示部１２とを備えていることを特徴とする。【選択図】    図１
2004297848.tif 000002
【特許請求の範囲】
【請求項１】
管壁に一端から他端までらせん状に連続した間隙を有し、内側にケーブルを通されるスパイラル管と、該スパイラル管に設けられ、前記ケーブルを識別するための記号または文字が記される第１の表示部とを備えていることを特徴とするケーブル用識別タグ。
【請求項２】
板状部と、該板状部の２ヶ所に設けられてそれぞれがケーブルを保持する２つの保持部と、前記板状部に設けられて前記ケーブルを識別するための記号または文字が記される第２の表示部とを備えていることを特徴とするケーブル用識別タグ。
【請求項３】
前記保持部は、前記ケーブルからの脱着を回避するフックによって形成され、前記フックは、前記ケーブルの着脱位置が相互に反対方向を向いていることを特徴とする請求項２記載のケーブル用識別タグ。
【請求項４】
前記板状部と前記保持部とが一枚の平板によって形成され、前記平板は、前記ケーブルより低い剛性を有し、かつ前記ケーブルに取付けたときに弾性変形して前記ケーブルに対して復元力が作用し、前記保持部を前記ケーブルに押付けることを特徴とする請求項２または３記載のケーブル用識別タグ。
【請求項５】
１対のケーブル固定部と、該１対のケーブル固定部の一方に設けられてケーブルを識別するための記号または文字が記される第３の表示部とを備え、前記１対のケーブル固定部間に前記ケーブルを挟んで固定することを特徴とするケーブル用識別タグ。
【発明の詳細な説明】
【０００１】
【発明の属する技術分野】
この発明は、複数のケーブルを識別するケーブル用識別タグに関し、特に光配線システムに利用される光ファイバコードを識別するのに用いて好適なケーブル用識別タグに関する。
【０００２】
【従来の技術】
複数の線状体を識別するケーブル用識別タグの一例として、光配線システムに配線された複数の光ファイバコードを識別するために、複数の光ファイバコードを結束して光ファイバコード集合体とし、その光ファイバコード集合体の外被に取付けられたケーブル用識別タグがある。
この光ファイバコード集合体に結束された光ファイバコードは、光ファイバコード集合体内でそれぞれ異なる色に配色されることによって識別されている。
【０００３】
この光ファイバコードの接続替えを行う際、複数の光ファイバーコード集合体の中から目的の光ファイバーコードを有する光ファイバーコード集合体を、ケーブル用識別タグを確認して取出した後、光ファイバーコード集合体の中から、異なる色に識別された目的の光ファイバーコードを、作業者が視認して取出す。あるいは、目的の光ファイバーコードか否かについて、任意の光ファイバーコードの一端から他端に光を通過させ、それを作業者が視認することによって目的の光ファイバーコードを見つけ出し、目的の光ファイバーコードを取出すことも可能である。
【０００４】
また、目的の光ファイバコードを識別する例として、ケーブル用識別タグを取付ける代わりに、１心の光ファイバコードに対して、その外被に光ファイバーコードの長手方向に沿って所定の間隔で識別記号あるいは識別色を複数付したものがある（特許文献１参照）。
【０００５】
【特許文献１】
特開２００１−５７６８３号公報（第８−１０頁、第５−１４図）
【０００６】
【発明が解決しようとする課題】
上記従来のケーブル用識別タグにおいては、光配線システムの拡大にともなって光ファイバコードの心数を増大させる必要が生じたことによって光ファイバコードの接続替えが頻繁に行われるようになり、ある光ファイバコード集合体に結束された一つの光ファイバコードが別の光ファイバコード集合体に結束されるため、各光ファイバコードを異なる色によって識別することで目的の光ファイバーコードを特定することが困難となった。そして、頻繁に接続替えされる膨大な量の光ファイバーコードを誤りなく管理するために、各光ファイバコード集合体にケーブル用識別タグを取付けるのではなく、１あるいは少数の光ファイバコードごとにケーブル用識別タグを取付けて管理する必要が生じた。
【０００７】
また、光ファイバコードにケーブル用識別タグを取付ける際、光ファイバコードを過剰に曲げると、光ファイバコード内を通過するデータに伝送エラーが生じるため、光ファイバコードに過剰な曲げを生じないようなケーブル用識別タグの取付け作業が要求されており、また、取付け後においても光ファイバコードに対して過剰な曲げが生じないようなケーブル用識別タグが要求されている。
【０００８】
この発明は、このような事情を考慮してなされたもので、膨大な量の光ファイバーコードを確実に管理し、かつ、取付け時および取付け後に光ファイバコードに過剰な曲げを生じさせないようなケーブル用識別タグを提供することを目的とする。
【０００９】
【課題を解決するための手段】
この発明は、上記課題を解決するため、以下の手段を採用する。
請求項１に係る発明は、ケーブル用識別タグであって、管壁に一端から他端までらせん状に連続した間隙を有し、内側にケーブルを通されるスパイラル管と、該スパイラル管に設けられ、前記ケーブルを識別するための記号または文字が記される第１の表示部とを備えていることを特徴とする。
【００１０】
この発明によれば、管壁に一端から他端までらせん状に連続した間隙を有し、内側にケーブルを通されるスパイラル管を備えていることにより、スパイラル管を回転させながらケーブルを管壁の一端の間隙から挿入し、スパイラル管の他端の方向にケーブルを送り出し、管壁の他端の間隙からケーブルを取出すことで、スパイラル管の内側にケーブルが通った状態となるため、このケーブル用識別タグを取付ける作業性が容易となる。また、スパイラル管をケーブルに取付ける際に、スパイラル管を屈曲させながらそのスパイラル管がケーブルに取付けられるため、ケーブルを屈曲させることなく、ケーブル用識別タグが取付けられる。
また、スパイラル管に設けられ、ケーブルを識別するための記号または文字が記される第１の表示部を備えていることにより、膨大な量のケーブルの中から目的とするケーブルを、スパイラル管に設けられた第１の表示部を視認して容易に抽出することが可能である。
【００１１】
請求項２に係る発明は、ケーブル用識別タグであって、板状部と、該板状部の２ヶ所に設けられてそれぞれがケーブルを保持する２つの保持部と、前記板状部に設けられて前記ケーブルを識別するための記号または文字が記される第２の表示部とを備えていることを特徴とする。
【００１２】
この発明によれば、板状部と、板状部の２ヶ所に設けられてそれぞれがケーブルを保持する２つの保持部と、板状部に設けられてケーブルを識別するための記号または文字が記される第２の表示部とを備えていることにより、ケーブル用識別タグをケーブルに対して２つの保持部によって２ヶ所で保持することで板状部をケーブルに対して保持しているため、膨大な量のケーブルの中から目的とするケーブルを、板状部に設けられた第２の表示部を視認して容易に抽出することが可能である。
【００１３】
請求項３に係る発明は、請求項２記載のケーブル用識別タグであって、前記保持部は、前記ケーブルからの脱着を回避するフックによって形成され、前記フックは、前記ケーブルの着脱位置が相互に反対方向を向いていることを特徴とする。
【００１４】
この発明によれば、保持部がケーブルからの脱着を回避するフックによって形成され、そのフックがケーブルの着脱位置が相互に反対方向を向いていることにより、ケーブル用識別タグに対して外力が作用して一方のフックがケーブルから脱着した場合、他方のフックが同時にケーブルから脱着することは極めて稀であり、その他方のフックがケーブルから脱落せずにケーブルに保持されたままの状態になる。したがって、ケーブル用識別タグによって管理されているケーブルの情報が紛失されずに管理されることとなる。
【００１５】
請求項４に係る発明は、請求項２または３記載のケーブル用識別タグであって、前記板状部と前記保持部とが一枚の平板によって形成され、前記平板は、前記ケーブルより低い剛性を有し、かつ前記ケーブルに取付けたときに弾性変形して前記ケーブルに対して復元力が作用し、前記保持部を前記ケーブルに押付けることを特徴とする。
【００１６】
この発明によれば、板状部と保持部とが一枚の平板によって形成されていることにより、この平板の製作を容易に行うことが可能である。
また、その平板が、ケーブルより低い剛性を有し、かつケーブルに取付けたときに弾性変形してケーブルに対して復元力が作用し、保持部をケーブルに押付けることにより、その平板が、取付け時においてケーブル自体を屈曲させることなく平板自体が屈曲してケーブルに取付けられ、また、取付け後においても、ケーブル自体を屈曲させることなくケーブルに対して屈曲して固定されることとなる。
【００１７】
請求項５に係る発明は、ケーブル用識別タグであって、１対のケーブル固定部と、該１対のケーブル固定部の一方に設けられてケーブルを識別するための記号または文字が記される第３の表示部とを備え、前記１対のケーブル固定部間に前記ケーブルを挟んで固定することを特徴とする。
【００１８】
この発明によれば、第３の表示部を一方に設けた１対のケーブル固定部間にケーブルを挟んで固定することにより、ケーブルを挟み込む力によってケーブル用識別タグがケーブルに保持されるため、ケーブル用識別タグがケーブルから脱落することがない。したがって、膨大な量のケーブルの中から目的とするケーブルを、ケーブル固定部の一方に設けられた第３の表示部を視認して容易に抽出することが可能である。
【００１９】
【発明の実施の形態】
以下、この発明の実施の形態について、図面を参照して説明する。
図１は、この発明における第１の実施の形態を示す図であって、この発明を適用したケーブル用識別タグを示す図である。
ケーブル用識別タグ１０は、スパイラル管１１と、識別コード表示板（第１の表示部）１２とを備えている。
【００２０】
スパイラル管１１は、光ファイバコード（ケーブル）Ｃを貫通できるように円筒状に形成され、その管壁の一端から他端までらせん状に連続した間隙部１３を有する。このスパイラル管１１は、容易に屈曲できるように、例えばポリエチレン、あるいはシリコン等のケイ素樹脂によって形成されている。
【００２１】
識別コード表示板１２は、光ファイバコードＣの延長方向に細長い平板によって形成され、その内部には、その長手方向に延在した細長孔１４が例えば２ヶ所設けられている。この識別コード表示板１２は、容易に加工でき、かつ平面を保持できるように、例えばその材質がプラスチックとされている。また、識別コード表示板１２の表面には、光ファイバコードＣを識別するための記号または文字として、例えば２次元コード等の識別コードが記されたシール１５が貼付されている。
【００２２】
この識別コード表示板１２は、間隙部１３によって分割されたスパイラル管１１の一端を、細長孔１４の一方に裏面から挿入して貫通させ、細長孔１４の他方に表面から挿入して貫通させた後、間隙部１３のらせんに沿ってスパイラル管１１の所定の位置まで移動させることによって、スパイラル管１１に装着される。
【００２３】
ケーブル用識別タグ１０を光ファイバコードＣに装着する際には、スパイラル管１１の一端において間隙部１３を広げ、その間隙部１３に光ファイバコードＣを側面から挿入した後、間隙部１３に挿入された光ファイバコードＣを、スパイラル管１１を回転させてスパイラル管１１の他端の方向に送り出し、スパイラル管１１の他端において光ファイバコードＣを間隙部１３から取出す。光ファイバコードＣを間隙部１３から取出すと、スパイラル管１１の円筒内に光ファイバコードＣが挿入された状態となる。
【００２４】
この場合、スパイラル管１１の内側に光ファイバコードＣが貫通した状態となるため、このケーブル識別タグ１０を光ファイバコードＣに取付ける作業が容易となる。また、スパイラル管１１を光ファイバコードＣに取付ける際に、スパイラル管１１を屈曲させながら光ファイバコードＣに取付けるため、光ファイバコードＣを屈曲させることなく、ケーブル用識別タグ１０が取付けられることとなる。
さらに、スパイラル管１１を光ファイバコードＣに取付けた後において、スパイラル管１１に設けられた識別コード表示板１２を備えていることにより、膨大な量の光ファイバコードＣの中から目的とする光ファイバコードＣを、シール１５が貼付された識別コード表示板１２を視認して容易に抽出することが可能である。
【００２５】
上記の構成によれば、光ファイバコードＣを屈曲させることなく、ケーブル用識別タグ１０が光ファイバコードＣに取付けられることとなるので、取付け時に光ファイバコードＣに過剰な曲げが生じないようにすることができる。
また、スパイラル管１１の内側に光ファイバコードＣが貫通した状態において、スパイラル管１１から光ファイバコードＣに対して光ファイバコードＣを屈曲させる外力が作用しないので、取付け後においても光ファイバコードに過剰な曲げが生じないようにすることができる。
【００２６】
さらに、膨大な量の光ファイバコードＣの中から目的とする光ファイバコードＣを、その識別コード表示板１２を視認して容易に抽出することが可能であるので、膨大な量の光ファイバーコードを確実に管理することができる。
【００２７】
図２は、この発明における第２の実施の形態を示す図であって、この発明を適用したケーブル用識別タグを示す図である。
ケーブル用識別タグ２０は、平面に形成され、両端が円弧状に形成された一枚の平板（板状部）２１によって構成されている。
【００２８】
平板２１の両端には、光ファイバコードＣを保持する保持部２２，２３が設けられている。
保持部２２，２３には、円形孔２２ｂ，２３ｂが設けられ、平板２１の外縁から円形孔２２ｂ，２３ｂまで切断された切断部２２ａ，２３ａが設けられており、保持部２２，２３がフック状に形成されている。切断部２２ａは、平板２１の外縁から円形孔２３ｂに向かって切断された方向と相互に反対方向となるように、円形孔２２ｂに向かって切断されている。
【００２９】
平板２１の表面には、例えば２次元コード等の識別コードが記されたシール２４が貼付されている。したがって、平板２１は、識別コードが記された表示板（第２の表示部）を兼ねている。
この平板２１は、光ファイバコードＣより低い剛性を有しており、光ファイバコードＣに対して光ファイバコードＣを屈曲させない程度の復元力を有しており、例えばプラスチックによって形成されている。
【００３０】
この場合、ケーブル用識別タグ２０が一枚の平板によって形成されていることにより、例えば通常のプラスチック板を平板２１になるように加工するのみでケーブル用識別タグ２０が製作できるため、ケーブル用識別タグ２０の製作が容易である。
【００３１】
ケーブル用識別タグ２０を光ファイバコードＣに装着する場合には、平板２１の裏面側に光ファイバコードＣが通過するように、光ファイバコードＣが切断部２２ａを通して円形孔２２ｂに挿入されるとともに、光ファイバコードＣが切断部２３ａを通して円形孔２３ｂに挿入されることによって、光ファイバコードＣに平板２１が取付けられる。このとき平板２１は、光ファイバコードＣを屈曲させることなく、平板２１自体を屈曲させて光ファイバコードＣに取付けられる。
【００３２】
平板２１が光ファイバコードＣに取付けられた後、平板２１は光ファイバコードＣの剛性によって屈曲されるが、光ファイバコードＣに対して復元力が作用するため、この復元力によって、保持部２２に設けられた円形孔２２ｂ内の一部および保持部２３に設けられた円形孔２３ｂ内の一部を光ファイバコードＣに押付ける。したがって、平板２１は、保持部２２によって光ファイバコードＣに固定された状態となる。
【００３３】
この場合、ケーブル用識別タグ２０を光ファイバコードＣに対して保持部２２，２３によって２ヶ所で保持することで、平板２１を光ファイバコードＣに対して保持しながら、膨大な量の光ファイバコードＣの中から目的とする光ファイバコードＣを、シール２４が貼付された平板２１を視認して容易に抽出することが可能である。
【００３４】
また、平板２１が、光ファイバコードＣより低い剛性を有し、かつ光ファイバコードＣに取付けたときに弾性変形して光ファイバコードＣに対して復元力が作用し、保持部２２，２３を光ファイバコードＣに押付けることにより、その平板２１が、光ファイバコードＣ自体を屈曲させることなく光ファイバコードＣに対して屈曲して固定されることとなる。
【００３５】
また、ケーブル用識別タグ２０に対して外力が作用して保持部２２が光ファイバコードＣから脱着した場合、保持部２３が同時に光ファイバコードＣから脱着することは極めて稀であり、保持部２３が光ファイバコードＣから脱落せずに光ファイバコードＣに保持されたままの状態になる。したがって、ケーブル用識別タグ２０によって管理されている光ファイバコードＣの情報が紛失されずに管理されることとなる。
【００３６】
このように、上記第２の実施の形態においては、膨大な量の光ファイバコードＣの中から目的とする光ファイバコードＣを、平板２１を視認して容易に抽出することが可能である。また、平板２１は、取付け時には光ファイバコードＣを屈曲させることなく平板２１自体が屈曲して光ファイバコードＣに取付けられ、取付け後には光ファイバコードＣ自体を屈曲させることなく光ファイバコードＣに対して屈曲して固定されることとなる。したがって、上記第１の実施の形態と同様の効果を得ることができる。
【００３７】
図３は、この発明における第３の実施の形態を示す図であって、この発明を適用したケーブル用識別タグを示す図である。
ケーブル用識別タグ３０は、板状部３１と、保持部３２，３３と、連結部３４，３５とを備えている。
【００３８】
板状部３１は、表面が平面な平板によって形成され、その表面には、例えば２次元コード等の識別コードが記されたシール３６が貼付されており、識別コードが記された表示板（第２の表示部）を兼ねている。
また、この板状部３１は、例えば硬質のプラスチックによって形成されている。
【００３９】
保持部３２，３３は、Ｃ字状のフックを形成して板状部３１の両端に設けられており、光ファイバコードＣを保持するようになっている。この保持部３２，３３は、一端のフックの開口部３２ａと他端のフックの開口部３３ａとが反対方向を向くように配置されている。また、この保持部３２，３３は、例えば硬質のプラスチックによって形成されている。
連結部３４，３５は、板状部３１および保持部３２，３３をそれぞれ連結されている。この連結部３２，３３は、例えば折り曲げ可能なプラスチックによって形成されている。
【００４０】
ケーブル用識別タグ３０を光ファイバコードＣに装着する場合には、板状部３１の裏面側に光ファイバコードＣが通過するように、光ファイバコードＣに保持部３２，３３を取付けて固定する。このときケーブル用識別タグ３０は、光ファイバコードＣを屈曲させることなく、連結部３４，３５を屈曲させて光ファイバコードＣに取付けられる。
【００４１】
ケーブル用識別タグ３０が光ファイバコードＣに取付けられた後、ケーブル用識別タグ３０から光ファイバコードＣに対して押付ける力が生じないため、光ファイバコードＣが屈曲することなく、ケーブル用識別タグ３０が光ファイバコードＣに取付けられた状態となる。
【００４２】
この場合、ケーブル用識別タグ３０を光ファイバコードＣに対して保持部３２，３３によって２ヶ所で保持しているため、膨大な量の光ファイバコードＣの中から目的とする光ファイバコードＣを、シール３６が貼付された板状部３１を視認して容易に抽出することが可能である。
【００４３】
また、ケーブル用識別タグ３０に対して外力が作用して保持部３２が光ファイバコードＣから脱着した場合、保持部３３が同時に光ファイバコードＣから脱着することは極めて稀であり、保持部３３が光ファイバコードＣから脱落せずに光ファイバコードＣに保持されたままの状態になる。したがって、ケーブル用識別タグ３０によって管理されている光ファイバコードＣの情報が紛失されずに管理されることとなる。
【００４４】
このように、上記第３の実施の形態においては、膨大な量の光ファイバコードＣの中から目的とする光ファイバコードＣを、板状部３１を視認して容易に抽出することが可能である。また、ケーブル用識別タグ３０は、取付け時および取付け後に光ファイバコードＣを屈曲させることなく連結部３４，３５が屈曲して光ファイバコードＣに取付けられることとなる。したがって、上記第１および第２の実施の形態と同様の効果を得ることができる。
【００４５】
図４および図５は、この発明における第４の実施の形態を示す図であって、この発明を適用したケーブル用識別タグを示す図である。
ケーブル用識別タグ４０は、外面が平面な１対のケーブル固定部４１，４２と、１対のケーブル固定部４１，４２の対向する面にそれぞれ配置されたコード固定材４３，４４とを備えている。
一方のケーブル固定部４１は、その上面に例えば２次元コード等の識別コードが記されたシール４５が貼付されており、識別コードが記された表示板（第３の表示部）を兼ねている。
【００４６】
一方のケーブル固定部４１は、本体部４１ａと、本体部４１ａの一端に設けられた着脱部４１ｂと、着脱部４１ｂの中央部に設けられた爪部４１ｃとを備えている。
他方のケーブル固定部４２は、本体部４２ａと、本体部４２ａの一端に設けられた支柱部４２ｂと、本体部４２ａの他端に設けられた着脱部４２ｃとを備えている。
【００４７】
一方のケーブル固定部４１の本体部４１ａは、その他端が他方のケーブル固定部４２の支柱部４２ｂに支持されている。また、一方のケーブル固定部４１の着脱部４１ｂは、その爪部４１ｃで他方のケーブル固定部４２の着脱部４２ｃに引掛けることによって、着脱可能に固定されている。
一方のケーブル固定部４１と他方のケーブル固定部４２との間には、１または少数の光ファイバコードＣが配置されるようになっている。
【００４８】
コード固定材４３，４４は、一方のケーブル固定部４１と他方のケーブル固定部４２とが固定される際、それらの対向する面の間に１または少数の光ファイバコードＣを挟んで固定するようになっている。このコード固定材４３，４４は、光ファイバコードＣの表面の損傷を防止するために、弾性部材、例えばゴムによって形成されている。
【００４９】
ケーブル用識別タグ４０を光ファイバコードＣに装着する場合、一方のケーブル固定部４１の着脱部４１ｂと他方のケーブル固定部４２の着脱部４２ｃとが固定されていた場合はその固定を解除してそれら着脱部４１ｂと着脱部４２ｃとを離間させ、コード固定材４４の上面に１または少数の光ファイバコードＣを配置させた後、着脱部４１ｂと着脱部４２ｃとを接合し、光ファイバコードＣをコード固定材４３，４４間に挟んで固定する。
【００５０】
この場合、１対のケーブル固定部４１，４２間に光ファイバコードＣを挟んで固定することにより、光ファイバコードＣを挟み込む力によってケーブル用識別タグ４０が光ファイバコードＣに保持されるため、ケーブル用識別タグ４０が光ファイバコードＣから脱落することがない。したがって、膨大な量の光ファイバコードＣの中から目的とする光ファイバコードＣを、シール４５が貼付された一方のケーブル固定部４１を視認して容易に抽出することが可能である。
【００５１】
このように、上記第３の実施の形態においては、膨大な量の光ファイバコードＣの中から目的とする光ファイバコードＣを、一方のケーブル固定部４１を視認して容易に抽出することが可能であるので、膨大な量の光ファイバーコードを確実に管理することができる。
【００５２】
なお、上記各実施の形態において、ケーブル用識別タグは、光ファイバコードに限らず、例えば電線等一般のケーブルあるいは一般的な線状体について、同様の効果が得られる場合には適用可能である。
【００５３】
また、上記第１の実施の形態において、ケーブル用識別タグ１０に識別コード表示板１２を設けずに、識別コードがスパイラル管１１に直接記されてもよい。この場合、識別コードがスパイラル管１１ごとに記されていることにより、光ファイバーコードＣを１あるいは少数の心数単位で識別コードによって管理するため、膨大な量の光ファイバーコードＣを確実に管理することができる。
【００５４】
また、上記第２から第４のいずれかの実施の形態において、ケーブル用識別タグ２０の平板２１、ケーブル用識別タグ３０の板状部３１、あるいはケーブル用識別タグ４０の一方のケーブル固定部４１に識別コードが直接記されてもよい。この場合、識別コードが平板２１、板状部３１、あるいは一方のケーブル固定部４１ごとに記されていることにより、上記と同様の効果が得られる。
【００５５】
また、上記第３の実施の形態において、ケーブル用識別タグ３０は一体成形されてもよい。この場合、ケーブル用識別タグ３０を多量に製作する場合において、ケーブル用識別タグ３０が一体成形されることによってその製作性が向上するとともに、ケーブル用識別タグ３０が多量に製作されることによって経済性が向上するという効果も得られる。
【００５６】
【発明の効果】
以上説明したこの発明のケーブル用識別タグにおいては、以下の効果を奏する。
請求項１に係る発明によれば、ケーブルを屈曲させることなくケーブル用識別タグが取付けられ、かつスパイラル管の内側にケーブルが通った状態でスパイラル管によってケーブルを屈曲させることがないので、取付け時および取付け後にケーブルに過剰な曲げを生じさせないようにすることができる。
また、膨大な量のケーブルの中から目的とするケーブルを、第１の表示部を視認して容易に抽出することが可能であるので、膨大な量の光ファイバーコードを確実に管理することができる。
【００５７】
請求項２に係る発明によれば、ケーブル用識別タグをケーブルに対して２つの保持部によって２ヶ所で保持することで板状部をケーブルに対して保持しながら、膨大な量のケーブルの中から目的とするケーブルを、板状部に設けられた第２の表示部を視認して容易に抽出することが可能であるので、膨大な量の光ファイバーコードを確実に管理することができる。
【００５８】
請求項３に係る発明によれば、ケーブル用識別タグに対して外力が作用して一方のフックがケーブルから脱着した場合、その他方のフックがケーブルから脱落せずにケーブルに保持されたままの状態になり、ケーブル用識別タグによって管理されているケーブルの情報が紛失されずに管理されることとなるので、膨大な量の光ファイバーコードを確実に管理することができる。
【００５９】
請求項４に係る発明によれば、その平板が、ケーブルより低い剛性を有し、かつケーブルに取付けたときに弾性変形してケーブルに対して復元力が作用し、保持部をケーブルに押付けることにより、その平板が、取付け時においてケーブル自体を屈曲させることなく平板自体が屈曲してケーブルに取付けられ、また、取付け後においても、ケーブル自体を屈曲させることなくケーブルに対して屈曲して固定されることとなるので、光ファイバコードに過剰な曲げを生じさせないようにすることができる。
【００６０】
請求項５に係る発明によれば、膨大な量のケーブルの中から目的とするケーブルを、ケーブル固定部の一方に設けられた第３の表示部を視認して容易に抽出することが可能であるので、膨大な量の光ファイバーコードを確実に管理することができる。
【図面の簡単な説明】
【図１】この発明における第１の実施の形態に係るケーブル用識別タグの斜視図である。
【図２】この発明における第２の実施の形態に係るケーブル用識別タグの斜視図である。
【図３】この発明における第３の実施の形態に係るケーブル用識別タグの斜視図である。
【図４】この発明における第４の実施の形態に係るケーブル用識別タグの斜視図である。
【図５】この発明における第４の実施の形態に係るケーブル用識別タグの断面図である。
【符号の説明】
１０，２０，３０，４０  ケーブル用識別タグ
１１  スパイラル管
１２  識別コード表示板（第１の表示部）
１３  間隙部
２１  平板（板状部、第２の表示部）
２２，２３  保持部
２２ａ，２３ａ  切断部
３１  板状部（第２の表示部）
３２，３３  保持部
４１，４２  コード固定部
【図１】
2004297848.tif 000003
【図２】
2004297848.tif 000004
【図３】
2004297848.tif 000005
【図４】
2004297848.tif 000006
【図５】
2004297848.tif 000007